(57)【要約】【課題】本体を９０度間隔で設置方向が変更でき、また、施工の制約を受けないようにすることができ、また、排気性能が低下しないようにできる浴室換気乾燥機を提供することを目的とする。【解決手段】下面が開口し、内部に換気ファン１と循環ファン２およびヒータユニット３を設け、外部に屋外に連通される排気口４を設けた本体５と、本体５の下面を覆う吸込グリル１０および吹出グリル１１を設けたルーバー１２とを備え、本体５を正方形に形成し、９０度間隔で設置方向を変更可能に設け、吹出グリル１１を９０度間隔で吹出方向を変更できる構成とすることにより、施工の制約を受けないようにすることができ、また、排気性能が低下しないようにできる浴室換気乾燥機を得られる。【選択図】図１
2006284115.tif 000002
【特許請求の範囲】
【請求項１】
下面が開口し、内部に換気ファンと循環ファンおよびヒータユニットを設け、外部に屋外に連通される排気口を設けた本体と、この本体の下面の開口をお覆うように設けられる吸込グリルおよび吹出グリルを設けたルーバーとを備え、前記本体を正方形に形成し、９０度間隔で設置方向を変更可能に設け、前記吹出グリルを９０度間隔で吹出方向を変更できる構成とした浴室換気乾燥機。
【請求項２】
吹出グリルを、はめ変え自在に設け、吹出し方向を変更する構成とした請求項１記載の浴室換気乾燥機。
【請求項３】
ルーバーを正方形に形成し、吸込グリルと吹出グリルを前記ルーバーの中央部に並設した請求項１記載の浴室換気乾燥機。
【請求項４】
吹出グリルの風向板を可変自在に設け、吹出し方向を可変する構成とした請求項１記載の浴室換気乾燥機。
【請求項５】
本体に洗面所やトイレ等に連結される複数の吸込口を設けた請求項１記載の浴室換気乾燥機。
【請求項６】
本体が嵌挿されるように浴室の天井に設けた開口部の周囲に対応する位置に、９０度間隔で設けられる吊ボルトと、この吊ボルトに係合して取り付けられる取付部を前記本体に設けた請求項１記載の浴室換気乾燥機。
【請求項７】
吹出グリルの吹き出し方向を４５度間隔で変更できるように略８角形に形成した請求項１記載の浴室換気乾燥機。
【発明の詳細な説明】
【技術分野】
【０００１】
本発明は、浴室に設置し、洗濯物の乾燥および換気したり、脱衣室、洗面所、あるいはトイレなどのサニタリーゾンの換気も同時に行うことのできる浴室換気乾燥機に関する。
【背景技術】
【０００２】
従来、この種の浴室換気乾燥機の一例として浴室を利用して洗濯物を乾燥する浴室乾燥機が知られている（例えば、特許文献１参照）。
【０００３】
以下、その浴室乾燥機について図６を参照しながら説明する。
図６に示すように、本体１０１を形成するケーシング１０２の一つの側面に排気口１０３が、それと異なる他の側面に排気口１０４が形成されて排気方向が互いに異なる複数の排気口１０３、１０４が形成され、ケーシング１０２の内部にはモータ１０５で回転する送風用ファン１０６が設けられ、送風用ファン１０６からの風はダンパー１０７により風向を制御され、排気口１０３、１０４または浴室の風路１０８からヒータ１０９、吹出グリル１１０を介して浴室内に送風して衣類等を乾燥するように構成している。
【特許文献１】特開２００４−３７２２号公報（〔００４３〕、図１）
【発明の開示】
【発明が解決しようとする課題】
【０００４】
このような従来の浴室乾燥機では、排気口１０３、１０４により排気方向を２方向に変換することはできたが、本体１０１が長方形状であるため、浴室の配置場所により排気方向を変えるときに、同一位置で本体１０１の配置方向を変更することは、同一の本体取付孔ではできないという課題があり、同一の取付孔を利用して本体の方向を変えられるようにすることが要求されている。
【０００５】
また、排気方向が２方向に限定されることにより、施工時に制約を受けるという課題があり、施工の制約を受けないようにすることが要求されている。
【０００６】
また、排気方向を２方向に設けることにより排気性能が低下するという課題があり、排気性能を低下しないようにすることが要求されている。
【０００７】
本発明は、このような従来の課題を解決するものであり、同一の孔を用いて本体を９０度間隔で設置方向を変更可能にでき、また、施工の制約を受けないようにすることができ、また、排気性能が低下しないようにできる浴室換気乾燥機を提供することを目的としている。
【課題を解決するための手段】
【０００８】
本発明の浴室換気乾燥機は上記目的を達成するために、下面が開口し、内部に換気ファンと循環ファンおよびヒータユニットを設け、外部に屋外に連通される排気口を設けた本体と、この本体の下面の開口を覆うように設けられる吸込グリルおよび吹出グリルを設けたルーバーとを備え、前記本体を正方形に形成し、９０度間隔で設置方向を変更可能に設け、前記吹出グリルを９０度間隔で吹出方向を変更できる構成としたものである。
【０００９】
この手段により、同一の孔を用いて本体を９０度間隔で設置方向を変更可能にでき、また、施工の制約を受けないようにすることができ、また、排気性能が低下しないようにできる浴室換気乾燥機が得られる。
【００１０】
また、他の手段は吹出グリルを、はめ変え自在に設け、吹出し方向を変更する構成としたものである。
【００１１】
この手段により、吹出グリルから吹き出される風の風向の変更が容易にできる浴室換気乾燥機が得られる。
【００１２】
また、他の手段は、ルーバーを正方形に形成し、吸込グリルと吹出グリルを前記ルーバーの中央部に並設したものである。
【００１３】
この手段により、デザイン性に優れ違和感のない浴室換気乾燥機が得られる。
【００１４】
また、他の手段は、吹出グリルの風向板を可変自在に設け、吹出し方向を可変する構成としたものである。
【００１５】
この手段により、性能向上を図ることができる浴室換気乾燥機が得られる。
【００１６】
また、他の手段は、本体に洗面所やトイレ等に連結される複数の吸込口を設けたものである。
【００１７】
この手段により、多室換気形に形成できるとともに、性能が低下することのない浴室換気乾燥機が得られる。
【００１８】
また、他の手段は、本体が嵌挿されるように浴室の天井に設けた開口部の周囲に対応する位置に９０度間隔で設けられる吊りボルトと、この吊りボルトに係合して取り付けられる取付部を前記本体に設けたものである。
【００１９】
この手段により、本体をどの向きにも取り付けができる浴室換気乾燥機が得られる。
【００２０】
また、他の手段は、吹出グリルの吹き出し方向を４５度間隔で変更できるように略８角形に形成したものである。
【００２１】
この手段により、隅の方に設置されても性能が低下されることのない浴室換気乾燥機が得られる。
【発明の効果】
【００２２】
本発明によれば、同一の孔を用いて本体を９０度間隔で設置方向を変更可能にでき、また、施工の制約を受けないようにすることができ、また、排気性能が低下しないようにできるという効果のある浴室換気乾燥機を提供できる。
【００２３】
また、吹出グリルから吹き出される風の風向の変更が容易にできるという効果のある浴室換気乾燥機を提供できる。
【００２４】
また、デザイン性に優れ、違和感のないという効果のある浴室換気乾燥機えを提供できる。
【００２５】
また、性能向上を図ることができるという効果のある浴室換気乾燥機を提供できる。
【００２６】
また、多室換気形に形成できるとともに、性能の低下することのないという効果のある浴室換気乾燥機を提供できる。
【００２７】
また、本体をどの向きにも取り付けができるという浴室換気乾燥機を提供できる。
【００２８】
また、隅の方に設置されても性能が低下されることがないという効果のある浴室換気乾燥機を提供できる。
【発明を実施するための最良の形態】
【００２９】
本発明の請求項１記載の発明は、下面が開口し、内部に換気ファンを循環ファンおよびヒータユニットを設け、外部に屋外に連通される排気口を設けた本体と、この本体の下面の開口を覆うように設けられる吸込グリルおよび吹出グリルを設けたルーバーとを備え、前記本体を正方形に形成し９０度間隔で設置方向を変更可能に設け、前記吹出グリルを９０度間隔で吹出方向を変更できる構成としたものであり、排気方向を２方向に設ける必要がなく、本体の設置方向を９０度変更することで、排気方向を４方向に変更できることとなり、施工のときに所望の方向に排気することができ、施工性が良くなるとともに、施工の制約がなくなり施工が容易となる。
【００３０】
また、排気方向を当初から２ヶ所設ける必要がないので、排気性能を低下させることがないという作用を有する。
【００３１】
また、請求項２記載の発明は、吹出グリルを、はめ変え自在に設け、吹出し方向を変更する構成としたものであり、吹出グリルの風向方向を吹出グリルをはめ変えることにより行うことができ、風向の変更が容易になるという作用を有する。
【００３２】
また、請求項３記載の発明は、ルーバーを正方形に形成し、吸込グリルと吹出グリルを前記ルーバーの中央部に並設したものであり、ルーバーがどの向きに設置されても、ルーバー、吹出グリル、吸込グリルとのバランスに偏りがなく、違和感がないとともにデザイン性に優れるという作用を有する。
【００３３】
また、請求項４記載の発明は、吹出グリルの風向板を可変自在に設け、吹出し方向を可変する構成としたものであり、風向板を調整することにより、風向を微調整して、最適な場所に風向をセットできるので、暖房性能および乾燥性能を向上させることができるという作用を有する。
【００３４】
また、請求項５記載の発明は、本体に洗面所やトイレ等に連結される複数の吸込口を設けたものであり、多室換気が可能となるとともに、本体に設けられる吸込口に吸込みダクトが設けられ、追加されるので、さらに本体の設置方向が制約されることとなるが、どの方向に設置しても、吹出グリルを洗い場に向けられるので性能を低下させることがないという作用を有する。
【００３５】
また、請求項６記載の発明は、本体が嵌挿させるように浴室の天井に設けた開口部の周囲に対応する位置に９０度間隔で設けられる吊ボルトとこの吊ボルトに係合して取り付けられる取付部を前記本体に設けたものであり本体をどの向きにも取り付けできるので、排気方向を変更する場合においても、吊ボルトの位置を施工し直す必要がないという作用を有する。
【００３６】
また、請求項７記載の発明は、吹出グリルの吹き出し方向を４５度間隔で変更できるように略８角形に形成したものであり、吹出グリルから吹き出される吹き出し空気の方向をより細かく微調整できるので、天井のコーナー部など、隅の方に設置されても暖房性能および換気性能を低下させることがないという作用を有する。
【００３７】
以下、本発明の実施の形態について図面を参照しながら説明する。
【００３８】
（実施の形態１）
図１〜図４に示すように下面が開口した箱状で、内部に換気ファン１と循環ファン２およびヒータユニット３を設け、外部に屋外に連通される排気口４を設けた本体５と、本体５の嵌挿させる枠状で排気口４と連結される排気アダプタ６と吸込口７と連結される吸気アダプタ８を設け、浴室の天井に開口を設け取り付けられる取付枠９と、本体５の下面の開口を覆うように設けられる吸込グリル１０および吹出グリル１１を設けたルーバー１２を形成し、本体５および取付枠９を正方形に形成し、本体５を９０度間隔で設置方向を変更可能に設け、吹出グリル１１を９０度間隔で吹出し方向を変更できるように設ける。
【００３９】
また、ルーバー１２は正方形で吸込グリル１０と吹出グリル１１をルーバー１２の中央部に並設し、吹出グリル１１は風向板１３を可変自在に設け、吹出グリル１１は、正方形で、４周にはルーバー１２にはめ外しが可能となるように磁石や弾性係合できる爪等のグリル取付具１４を設ける。
【００４０】
また、本体５に洗面所やトイレ等のサニタリーゾンに連結されるダクト１５が連結される複数の吸込口７を設け、浴室の天井に設けた開口部１６の周囲に対応する位置に９０度間隔で吊ボルト１７を設け、吊ボルト１７に係合して取り付けられる取付部１８を本体５側に設け構成する。
【００４１】
上記構成において、浴室換気乾燥機を設置するときには、図４（ａ）に示すように、排気の方向が洗い場１９の反対側方向にある場合には排気口４を反洗い場側に向くように取付枠９とともに本体５を配設し、また、図４（ｂ）に示すように、排気側が洗い場１９に向かい右側にある場合には、右側に排気口４が配設されるように、取付枠９とともに本体５を９０度設置方向を変えて配設し、また、図４（ｃ）に示すように、排気側が洗い場１９の方向にある場合には、洗い場１９側に排気口４が配設されるように、取付枠９とともに本体５を９０度設定方向を変えて配設し、また、図４（ｄ）に示すように、排気側が洗い場１９に向かい左側にある場合には、左側に排気口４が配設されるように、取付枠９とともに本体５を９０度設定方向を変えて配設する。
【００４２】
そして、浴室換気乾燥機を運転した場合には、循環ファン２により浴室内の空気が吸込グリル１０より吸い込まれ、内部に設けたヒータユニット３により加熱され作成された温風が吹出グリル１１より洗い場１９に向け吹き出され、洗い場１９の上方に吊り下げられた洗濯物等の被乾燥物に温風が接触して被乾燥物を乾燥することができる。このとき、吹出グリル１１から吹き出される温風の吹出方向が悪く被乾燥物に対する温風の接触度合いが悪い場合には、吹出グリル１１をルーバー１２より取り外し、被乾燥物側に吹き出すように吹出グリル１１を取り付け吹き出し方向を調整したり、風向板１３により風向を変更することができるとともに、被乾燥物を乾燥しないときには浴室の暖房としても使用できる。
【００４３】
また、換気ファン１の運転により洗面所やトイレ等のサニタリーゾンの空気がダクト１５を介して本体５内に吸い込まれ、浴室内の湿分を含む一部の空気とともに排気口４より屋外に排気されるとともに、循環ファン２への通電を停止することにより換気運転のみを行うことができる。
【００４４】
このように本発明によれば、本体５を正方形に形成し９０度間隔で設置方向を変更可能に設け、吹出方向を変更できるようにしているので、当初より排気方向を２方向に設ける必要がなく、本体５の設置方向を９０度間隔で変更することで、排気方向を４方向に変更できることとなり、施工のときに所望の方向に排気することができ、施工性が良くなるとともに、施工の制約がなくなり、施工が容易になるとともに、排気方向を当初から２ヶ所設ける必要がないので排気性能を低下させることがなくなる。
【００４５】
また、吹出グリル１１をはめ変え吹出し方向を変更できるので、風向の変更が容易にできる。
【００４６】
また、吸込グリルと吹出グリル１１を正方形のルーバー１２の中央部に並設したので、バランスが良く違和感がないとともに、デザイン性も良くなる。
【００４７】
また、本体５に洗面所やトイレ等のサニタリーゾンに連結される複数の吸込口を設けているので、多室換気が可能となる。
【００４８】
また、吊ボルト１７を９０度間隔で設けていることにより、本体５を９０度間隔で配置方向を変更しても容易に本体５を吊り下げることができ、施工性が良くなることとなる。
【００４９】
（実施の形態２）
図５に示すように、吹出グリル１１Ａの吹き出し方向を４５度間隔で変更できるように略８角形に形成し、ルーバー１２Ａに、はめ変え自在に設け構成する。
【００５０】
上記構成において、吹出グリル１１Ａは８角形で風向板１３Ａを形成していることで、吹出グリル１１Ａを４５度ずつ位置をずらすことにより、吹出グリル１１Ａに設けた風向板１３Ａの方向が変わり、風向が微調整できることとなり、天井のコーナ部などの隅の方に本体５Ａが設置されても、暖房性能および換気性能が低下することがなく、運転をすることができることとなる。
【産業上の利用可能性】
【００５１】
本体の位置を９０度間隔で可変できる構成を用いて容易に空気調和装置に取り付け、吹き出し方向を変える用途にも適用できる。
【図面の簡単な説明】
【００５２】
【図１】本発明の実施の形態１の浴室換気乾燥機の分解斜視図
【図２】同浴室換気乾燥機をトイレや洗面所に接続した状態を示す概略図
【図３】同浴室換気乾燥機を吊ボルトで吊下げた状態を示す概略図
【図４】（ａ）同浴室換気乾燥機の排気口を反洗い場の方向とした正面図（ｂ）同浴室換気乾燥機の排気口を右側の方向とした正面図（ｃ）同浴室換気乾燥機の排気口を洗い場の方向とした正面図（ｄ）同浴室換気乾燥機の排気口を左側の方向とした正面図
【図５】本発明の実施の形態２の浴室換気乾燥機の正面図
【図６】従来の浴室乾燥機の分解斜視図
【符号の説明】
【００５３】
１    換気ファン
２    循環ファン
３    ヒータユニット
４    排気口
５    本体
７    吸込口
１０  吸込グリル
１１  吹出グリル
１１Ａ  吹出グリル
１２  ルーバー
１３  風向板
１６  開口部
１７  吊ボルト
１８  取付部
【図１】
2006284115.tif 000003
【図２】
2006284115.tif 000004
【図３】
2006284115.tif 000005
【図４】
2006284115.tif 000006
【図５】
2006284115.tif 000007
【図６】
2006284115.tif 000008